(57)【要約】      （修正有）【課題】使用状況に応じて棚板を設置したり折り畳んだりする事のできるディスプレイスタンド用折り畳み棚を提供する。【解決手段】機器等を載置する為の棚板天板１とスタンド支柱に挟着固定させる為の受け金具３と棚板天板と受け金具とを規定位置で掛止させる為のステー板２からなり、各々をポップリベット５で回転動作可能となるようにカシメ蝶着し、抜け外れ防止の化粧ボルトを取り付けた受け金具をスタンド支柱に挟着させ、引着用のマグネットキャッチ４を取り付けた棚板天板の裏面略中央付近にステー板をポップリベットでカシメ蝶着し、ステー板の突出した先端を受け金具の正面下部に施したスリット穴８へ差し込み掛止させる。【選択図】図１
0003228780.tif 000002
【実用新案登録請求の範囲】
【請求項１】
機器等を載置する為の棚板天板とスタンド支柱に挟着させる為の受け金具と該棚板天板と該受け金具とを規定位置で掛止させる為のステー板からなり、棚板天板と受け金具をポップリベットでカシメ蝶着し、同様に棚板天板とステー板もポップリベットでカシメ蝶着し回転動作可能なようにし、抜け外れ防止の化粧ボルトを取り付けた受け金具をスタンド支柱に挟着させ、折り畳んだ時用のマグネットキャッチを付設させた棚板天板裏面に蝶着させたステー板の突出した先端を受け金具正面下部に施したスリット穴へ差し込み掛止させる事を構造としたディスプレイスタンド用折り畳み棚である。
【考案の詳細な説明】
【技術分野】
【０００１】  本考案は、ディスプレイスタンドに固定保持する折り畳み式の棚板に関するものである。
【背景技術】
【０００２】  従来、ディスプレイ用のスタンドには、データや映像を出力する為のパソコンやセットトップボックス等の機器を載置する為の固定式の棚が備え付けられている。【０００３】  例えば、非特許文献１ではキャスター付きのベースに支柱を立設し支柱上部にディスプレイを取り付け、支柱の略中間から下部にかけ固定式の棚板を設置する形態が提案されている。
【先行技術文献】
【非特許文献】
【０００４】
【非特許文献１】「オーロラＡＶ総合カタログＶｏｌ．４９」株式会社共栄商事、２０１９年７月、Ｐ．５８，Ｐ．５９
【０００５】  しかしながら実際に使用される現場では、必ずしも機器等をスタンドの棚板に載置するとは限らず、盗難等を考慮し他の場所からデータや映像信号等を送り出す場合もある。こういった時の棚板は、空の状態で不要な物となり移動時の障害となる為、取り外したり又必要に応じて取り付けたりと着脱作業の時間や労力が発生し、非常に不便である。
【考案の概要】
【考案が解決しようとする課題】
【０００６】  そこで、本考案は上述した内容を考慮し機器等を使用しない場合には棚板を折り畳み、機器等を使用する時には棚板をセットし、使用状況に応じて容易に機器等を載置させる事のできるディスプレイスタンド用折り畳み棚を提供することである。
【課題を解決するための手段】
【０００７】  本考案は、機器等を載置する為の棚板天板とスタンド支柱に挟着固定させる為の受け金具と該棚板天板と該受け金具とを規定位置で掛止させる為のステー板からなり、抜け外れ防止の化粧ボルトを取り付けた受け金具の正面上部と棚板天板裏面後方をポップリベットでカシメ蝶着し、さらに棚板天板裏面センター部付近とステー板をポップリベットでカシメ蝶着し蝶番作用で回転動作する様にし、スタンド支柱に挟着固定した該受け金具のスリット穴へ該ステー板の突出した先端を差し込み掛止させる事を構造形態としたディスプレイスタンド用折り畳み棚である。
【考案の効果】
【０００８】  本考案の効果として、受け金具と棚板天板とさらに該棚板天板とステー板を各々ポップリベットでカシメ蝶番作用で回転可能なようにしている為、棚板天板に機器等を載置しない時には、棚板をスタンド支柱から取り外す事もなく、各々、蝶番作用で折り畳んでスタンド支柱に持たせる事ができ便利である。【０００９】  さらに、抜け外れ防止用の化粧ボルトを受け金具の上面に取り付けている為、何らかの衝撃が加わり受け金具のスリット穴からステー板の先端が抜け外れそうになっても、棚板天板の後方先端に化粧ボルトの頭の部分が接触しストッパーの役目となり、ステー板が抜け外れる事はなく安全である。
【図面の簡単な説明】
【００１０】
【図１】本考案に関わるディスプレイスタンド用折り畳み棚本体の裏面からの斜視形態図である。
【図２】本考案に関わるディスプレイスタンド用折り畳み棚をスタンド支柱に取り付けた場合の側面図である。
【図３】本考案に関わるディスプレイスタンド用折り畳み棚を折り畳んで使用しない場合の側面図である。
【図４】本考案に関わるディスプレイスタンド用折り畳み棚の抜け外れ防止用の化粧ボルトの部分を示した平面形態図である。
【考案を実施するための形態】
【実施例】
【００１１】  本考案を実施するための形態を図に基づいて説明する。まず図１は本考案に関わるディスプレイスタンド用折り畳み棚本体の裏面斜視からの形態図である。受け金具３と棚板天板１とステー板２は、各々ポップリベット５でカシメ蝶着連結している為、該ポップリベット５の軸を起点として回転可能となる。これにより受け金具３の両サイドに設けた貫通穴７を利用してスタンド支柱１１に挟着させ機器等を載置しない時にはステー板２と棚板天板１を各々回転させマグネットキャッチ４の引着を利用して受け金具３へ添装させ棚板本体を折り畳む事ができる。【００１２】  受け金具３は、左右及び下部を各々後面側へＬ字状に、上部をクランク状に折り曲げ、左右のＬ字に曲げた辺にはスタンド支柱１１との挟着用の貫通穴７を設け、上部のクランク状に折り曲げた辺のセンターには抜け外れ防止用の化粧ボルト６を取り付ける為の熔接ナットを施し、正面側上部には、ポップリベット５用に左右を折り曲げ補強した軸受け金具を熔着し、下部にはステー板２を掛止する為のスリット穴８を設けている。【００１３】  棚板天板１は、補強を兼ね前後左右を内側に折り曲げさらに内側に折り曲げ、裏面前後方向にはハット型の補強板を熔着し、該補強板の前側にはステー板２と後側には受け金具３とを各々引着させる為のマグネットキャッチ４を取り付け、さらに裏面略センター付近にはステー板２と後方端付近には受け金具３とを連結させる為のポップリベット５用軸受け金具を付設させる。このことにより棚板を使用しない時にはステー板２と棚板天板１を折り畳み、マグネットキャッチ４を利用して受け金具３へ引着させる事ができる。【００１４】  ステー板２は、補強用に四方を裏側に折り曲げ、下部先端には受け金具３のスリット穴８へ差し込む為の爪部分を突出させ、左右側面の上部にはポップリベット５とのカシメ用貫通穴を施す。これにより棚板天板１の裏面略センター付近に付設したポップリベット５用軸受け金具と蝶着でき、受け金具３のスリット穴８へステー板２先端の爪部分を引掛けて掛止させ棚板天板１を水平に保持させる事ができる。【００１５】  図２は、本考案に関わるディスプレイスタンド用折り畳み棚を実際にディスプレイスタンドに取り付けた場合の側面図である。ディスプレイＡを設置したスタンド支柱１１に受け金具３と棚板天板１とステー板２からなる折り畳み式の棚板を取り付け、その棚板天板１に機器Ｂを載置した状態を示している。この時、受け金具３正面上部と棚板天板１裏面後方部をポップリベット５でカシメ蝶着し、同様にステー板２と棚板天板１裏面略センター付近もポップリベット５でカシメ蝶着し蝶番作用で動作させる様になっている。該ステー板２の反対側先端は、受け金具３正面下部のスリット穴８に差し込み掛止させ棚板天板１を水平にさせた状態を示している。【００１６】  図３は、本考案に関わるディスプレイスタンド用折り畳み棚を折り畳んで使用しない場合の側面図であり、棚板天板１に機器等を載置しない場合は、ステー板２先端を受け金具３のスリット穴８からはずし棚板天板１とステー板２をカシメ蝶着しているポップリベット５の軸を起点として回転させ棚板天板１裏面先端に取付けたマグネットキャッチ４に引着させる。同様に、受け金具３と棚板天板１とをカシメ蝶着しているポップリベット５の軸を起点として回転させ棚板天板１裏面に付設させたマグネットキャッチ４を受け金具３へ引着させて棚板天板１を完全に折り畳んだ状態を示している。これにより、棚を使用しない時は邪魔にならない様に簡単に折り畳む事ができ便利である。【００１７】  図４は、本考案に関わるディスプレイスタンド用折り畳み棚の抜け外れ防止用の化粧ボルト６の部分を示した平面形態図であり、受け金具３の上部先端へ熔接ナット９を施し、そこへ化粧ボルト６を螺合させ、該化粧ボルト６を緩めボルトの頭の部分を突出させる事により棚板天板１の縁部分へ接触させ、ステー板２の先端が何らかの影響で受け金具３のスリット穴８から外れそうになっても、化粧ボルト６の頭部分がストッパーの役目を果たし棚板天板１が持ち上がってステー板２先端が抜け外れる事はない。又、外す時は、化粧ボルト６を締め込み棚板天板１の縁から遠ざける事により受け金具３からステー板２先端を外し折り畳む事が出来る。
【産業上の利用可能性】
【００１８】  本考案は、上述したようにディスプレイスタンド用の棚板として活用するのはもちろんであるが、受け金具部分を取り付け設置する対象に合わせれば、直接壁面に取り付けたりテーブル仕様のラックやキャビネットの補助棚として使用したりする事も可能であり、様々な形態に応用できる可能性がある。
【符号の説明】
【００１９】  １．  棚板天板
２．  ステー板
３．  受け金具
４．  マグネットキャッチ
５．  ポップリベット
６．  化粧ボルト
７．  貫通穴
８．  スリット穴
９．  熔接ナット
１１．スタンド支柱
Ａ．  ディスプレイ
Ｂ．  機器
【図１】
0003228780.tif 000003
【図２】
0003228780.tif 000004
【図３】
0003228780.tif 000005
【図４】
0003228780.tif 000006